(57)【特許請求の範囲】
【請求項１】
金属製屋根材を構成する板部の右端部を上方に折曲して傾斜状下方支持部を、前記傾斜状下方支持部の上方に右側方に折曲する下方載置部を、前記下方載置部の上方を延設して垂直状支持部を、前記垂直状支持部の上方を右側方に折曲して上方折曲部を、且つ前記上方折曲部の端部を上方に傾斜状に折曲する右側すくい部を、前記右側すくい部の上方を折曲して湾曲状頂部を、前記湾曲状頂部を左側方に延設折曲する傾斜状左側すくい部を、前記傾斜状左側すくい部の下端部を稍湾曲状に折曲して吊子端部の挿入部を有する嵌挿部からなる下馳ぜ部を形成し、前記板部の左側方の左端部を上方に折曲延設して傾斜状下方支持部を、前記傾斜状下方支持部の上方に左側方に折曲する下方載置部を、前記下方載置部の上方に垂直状支持部を、前記垂直状支持部の上方を右側方に延設折曲して上方折曲部を、且つ前記上方折曲部の端部を上方に傾斜状に折曲する右側被せ部を、前記右側被せ部の上方を湾曲状に折曲して湾曲状頂部を、前記湾曲状頂部を左側方に折曲する傾斜状左側被せ部を、前記傾斜状左側被せ部の下端部を内側方に折曲して支承部を、前記支承部の端部を左側方に湾曲状に折曲し、且つ前記湾曲状に折曲した端部を右側方に折曲して押え部からなる上馳ぜ部を形成せしめることを特徴とする金属製屋根材。
【請求項２】
前記金属製屋根材は、前記板部を水平状に形成し、且つ前記板部の右側方に前記板部より高い上段水平部を形成し、前記板部の左側方に前記板部より高い上段水平部を夫々形成せしめることを特徴とする請求項１に記載の金属製屋根材。
【請求項３】
前記金属製屋根材を前記金属製屋根材の前記下馳ぜ部を下方に、前記上馳ぜ部を上方にして重ね合せ縦葺き施工時において、前記下馳ぜ部と前記上馳ぜ部との間に、水平状基部の端部を上方に折曲して支持脚部を、前記支持脚部の上端部を右側方に折曲する折曲部を形成し、前記折曲部の端部を上方に折曲して傾斜状支持部を、前記垂直状支持部の上方部に頂部を、前記頂部の端部を傾斜状に延設して差込み部を有する吊子を形成し、前記下馳ぜ部の嵌挿部の挿入部に前記吊子の差込み部を差込み、前記吊子と前記下馳ぜ部と前記上馳ぜ部とを一体にして組立て施工することを特徴とする請求項１又は同２に記載の金属製屋根材。
【請求項４】
板部の右端部を上方に折曲して傾斜状下方支持部を、前記傾斜状下方支持部の上方に右側方に折曲する下方載置部を、前記下方載置部の上方を延設して垂直状支持部を、前記垂直状支持部の上方を右側方に折曲して上方折曲部を、且つ前記上方折曲部の端部を上方に傾斜状に折曲する右側すくい部を、前記右側すくい部の上方を折曲して湾曲状頂部を、前記湾曲状頂部を左側方に延設折曲する傾斜状左側すくい部を、前記傾斜状左側すくい部の下端部を稍湾曲状に折曲して吊子端部の挿入部を有する嵌挿部からなる下馳ぜ部を形成し、前記板部の左側方の左端部を上方に折曲延設して傾斜状下方支持部を、前記傾斜状下方支持部の上方に左側方に折曲する下方載置部を、前記下方載置部の上方に垂直状支持部を、前記垂直状支持部の上方を右側方に延設折曲して上方折曲部を、且つ前記上方折曲部の端部を上方に傾斜状に折曲する右側被せ部を、前記右側被せ部の上方を湾曲状に折曲して湾曲状頂部を、前記湾曲状頂部を左側方に折曲する傾斜状左側被せ部を、前記傾斜状左側被せ部の下端部を内側方に折曲して支承部を、前記支承部の端部を左側方に湾曲状に折曲し、且つ前記湾曲状に折曲した端部を右側方に折曲して押え部からなる上馳ぜ部を形成せしめる金属屋根材と、水平状基部の端部を上方に折曲して支持脚部を、前記支持脚部の上端部を右側方に折曲する折曲部を形成し、前記折曲部の端部を上方に折曲して傾斜状支持部を、前記傾斜状支持部の上方部に頂部を、前記頂部の端部を傾斜状に延設して差込み部を有する吊子を形成し、屋根下地材の所定位置に縦葺き状態にして固定する前記吊子の左側方に前記金属製屋根材の下馳ぜ部の吊子端部を挿入する挿入部の嵌挿部内に、前記吊子の差込み部を嵌挿せしめ前記吊子の裏面部と密着重合せしめ、他方前記金属製屋根材の左側方に形成する上馳ぜ部を、前記吊子の右側方に重合密着して前記下馳ぜ部と重合している前記吊子の傾斜状支持部と頂部と差込み部の上方より被嵌し、前記下方馳ぜ部と前記吊子と前記上方馳ぜ部とが重合して形成するソーラーパネルのソーラーパネル嵌挿部を形成せしめると共に、前記ソーラーパネル嵌挿部に前記ソーラーパネルの左側端縁部と右側端縁部を嵌着施工せしめることを特徴とするソーラーパネル施工法。
【請求項５】
前記ソーラーパネル嵌挿部は、前記吊子と前記下馳ぜ部と前記上馳ぜ部とが密着し、且つ嵌合する前記下馳ぜ部の下方載置部と前記上馳ぜ部の押え部との間に形成される一方のソーラーパネル嵌挿部と、前記上馳ぜ部の下方載置部と上方折曲部との間に形成される他方のソーラーパネル嵌挿部とすることを特徴とする請求項４に記載のソーラーパネル施工法。
【請求項６】
前記ソーラーパネルは、複数のパネルから構成されており、ソーラースタートパネルとソーラー中パネルとソーラーエンドパネルからなり、前記ソーラースタートパネルの前方左右両サイドの角部と前記ソーラーエンドパネルの後方左右両サイドの角部に脚付き軒先・棟用スペーサーを嵌着し、且つ前記ソーラースタートパネルの後方左右両サイドの角部と前記ソーラー中パネルの前方左右両サイドの角部と、前記ソーラー中パネルの後方左右両サイドの角部と前記ソーラーエンドパネルの前方左右両サイドの角部に脚付き中間ジョイント用スペーサーを嵌着せしめて前記ソーラースタートパネルと前記ソーラー中パネルと前記ソーラーエンドパネルとを接続せしめることを特徴とする請求項４又は同５に記載のソーラーパネル施工法。
【請求項７】
前記脚付き軒先・棟用スペーサーと前記脚付き中間ジョイント用スペーサーは、前記脚に貫通孔を夫々形成せしめることを特徴とする請求項４又は同５又は同６に記載のソーラーパネル施工法。
【発明の詳細な説明】
【技術分野】
【０００１】
本発明は、予め屋根材を所定の形状に形成しておくことによって、ラックなしで単独で、且つ馳ぜ締め作業工程もなく葺き上げることができると共に、前記のように葺き上げ施工された屋根材に、太陽電池パネルを嵌着し取付け施工ができる金属製屋根材の分野に関するものである。
【背景技術】
【０００２】
従来、長尺金属屋根葺板が実用新案登録第３０９１１８５号登録実用新案公報として開示されている。
【０００３】
この登録実用新案公報として開示されている長尺金属屋根葺板は、その構造を長尺金属からなり折曲形成されて長手方向に延びる下馳部５を一端に且つ上馳部２０を他端に有し吊子１５によって下地上に緊定された前記下馳部上に隣接板１aの上馳部２０aを重ね合せて馳締めて順次連結葺設されると共に前記下馳部と前記隣接板の上馳部とにより長手方向に延びる屋根の山部を形成する立葺き用の長尺金属屋根葺板１において、前記吊子を前記下馳部の端部１０に折曲形成により一体に付設したものである。
【０００４】
さらに、前記開示の長尺金属屋根葺板は、その解決課題として、吊子１５を下馳部５の端部に、この端部を折曲形成して一体に付設したから、従来の部分吊子において必要であった、吊子１５を屋根葺板１の下馳部５上に４５５ｍｍ間隔で被せていく作業が不要になった。また、吊子１５間の段差が完全に無くなるから、吊子緊定後に再度馳テープを下馳部５に長手方向の全体にわたり貼付する作業が不要となった。
【０００５】
また、吊子１５を長手方向の全長にわたり付設したので、上馳部２０aを隣接の屋根葺板１の下馳部５上に被せて馳締めたときに、馳部が波打つこともない。併せて、金属屋根葺板自体の強度及び剛性も増加するようにした。
【先行技術文献】
【特許文献】
【０００６】
【特許文献１】実用新案登録第３０９１１８５号登録実用新案公報
【発明の概要】
【発明が解決しようとする課題】
【０００７】
前記従来開示の長尺金属屋根葺板は、吊子１５と屋根葺板１の下馳部５と上馳部２０との組立て時において、前記吊子１５の内側面部と外側面部とに、前記下馳部５と上馳部２０が夫々重合し密着して緊定がなされていない（図１、３（ｂ）参照）。そのため、前記屋根葺板１同志の接続個所の強度面が決して強いとは云えない。
【０００８】
さらに、従来開示の長尺金属屋根葺板は、図２及び図３（ｂ）の組立て状況からして、太陽電池パネルをも嵌着するような構造をしていない。
【０００９】
しかるに、本発明が解決しようとする課題は、前記した従来開示の長尺金属屋根葺板１及び吊子のような構造を採用せずに、金属製屋根材が単独でも葺き上げ施工ができるようにした。
【００１０】
さらに、本発明が解決しようとする課題は、吊子と金属製屋根材の左右両側端部に形成せしめた下馳ぜ部と上馳ぜ部とを重合し、且つ嵌着せしめるだけで、前記金属製屋根材をしかも馳ぜ締め作業工程をしなくても、耐荷重性、耐衝撃性及び耐吸着性等に優れた利点を発揮できる金属製屋根材を構築できるようにした。
【００１１】
また、本発明が解決しようとする課題は、前記のようにして葺き上げられた金属製屋根材に対し、必要に応じ太陽電池パネルを前記吊子と前記金属製屋根材の左右両端部に形成された下馳ぜ部と上馳ぜ部とを重合嵌着せしめて形成された２個所の太陽電池パネルのパネル嵌挿部に、前記太陽電池パネルの左右両側端部を嵌着併用することができるようにした。
【課題を解決するための手段】
【００１２】
課題を解決するための手段として、請求項１に記載の金属製屋根材は、金属製屋根材Ａを構成する板部１の右端部２を上方に折曲して傾斜状下方支持部３を、前記傾斜状下方支持部３の上方に右側方に折曲する下方載置部４を、前記下方載置部４の上方を延設して垂直状支持部５を、前記垂直状支持部５の上方を右側方に折曲して上方折曲部６を、且つ前記上方折曲部６の端部を上方に傾斜状に折曲する右側すくい部７を、前記右側すくい部７の上方を折曲して湾曲状頂部８を、前記湾曲状頂部８を左側方に延設折曲する傾斜状左側すくい部９を、前記傾斜状左側すくい部９の下端部を稍湾曲状に折曲して吊子端部の挿入部１１を有する嵌挿部１０からなる下馳ぜ部aを形成し、前記板部１の左側方の左端部１２を上方に折曲延設して傾斜状下方支持部１３を、前記傾斜状下方支持部１３の上方に左側方に折曲する下方載置部１４を、前記下方載置部１４の上方に垂直状支持部１５を、前記垂直状支持部１５の上方を右側方に延設折曲して上方折曲部１６を、且つ前記上方折曲部１６の端部を上方に傾斜状に折曲する右側被せ部１７を、前記右側被せ部１７の上方を湾曲状に折曲して湾曲状頂部１８を、前記湾曲状頂部１８を左側方に折曲する傾斜状左側被せ部１９を、前記傾斜状左側被せ部１９の下端部を内側方に折曲して支承部２０を、前記支承部２０の端部を左側方に湾曲状に折曲し、且つ前記湾曲状に折曲した端部を右側方に折曲して押え部２１からなる上馳ぜ部ｂを形成せしめることを特徴とする金属製屋根材である。
【００１３】
課題を解決するための手段として、請求項２に記載の金属製屋根材は、前記金属製屋根材Ａは、前記板部１を水平状に形成し、且つ前記板部１の右側方に前記板部１より高い上段水平部２２を形成し、前記板部１の左側方に前記板部１より高い上段水平部２２を夫々形成せしめることを特徴とする請求項１に記載の金属製屋根材である。
【００１４】
課題を解決するための手段として、請求項３に記載の金属製屋根材は、前記金属製屋根材Ａを前記金属製屋根材Ａの前記下馳ぜ部ａを下方に、前記上馳ぜ部ｂを上方にして重ね合せ縦葺き施工時において、前記下馳ぜ部ａと前記上馳ぜ部ｂとの間に、水平状基部２３の端部２４を上方に折曲して支持脚部２５を、前記支持脚部２５の上端部２６を右側方に折曲する折曲部２７を形成し、前記折曲部２７の端部を上方に折曲して傾斜状支持部２８を、前記垂直状支持部２８の上方部に頂部２９を、前記頂部２９の端部を傾斜状に延設して差込み部３０を有する吊子Ｂを形成し、前記下馳ぜ部ａの嵌挿部１０の挿入部１１に前記吊子Ｂの差込み部３０を差込み、前記吊子Ｂと前記下馳ぜ部ａと前記上馳ぜ部ｂとを一体にして組立て施工することを特徴とする請求項１又は同２に記載の金属製屋根材である。
【００１５】
課題を解決するための手段として、請求項４に記載の金属製屋根材は、板部１の右端部２を上方に折曲して傾斜状下方支持部３を、前記傾斜状下方支持部３の上方に右側方に折曲する下方載置部４を、前記下方載置部４の上方を延設して垂直状支持部５を、前記垂直状支持部５の上方を右側方に折曲して上方折曲部６を、且つ前記上方折曲部６の端部を上方に傾斜状に折曲する右側すくい部７を、前記右側すくい部７の上方を折曲して湾曲状頂部８を、前記湾曲状頂部８を左側方に延設折曲する傾斜状左側すくい部９を、前記傾斜状左側すくい部９の下端部を稍湾曲状に折曲して吊子端部の挿入部１１を有する嵌挿部１０からなる下馳ぜ部aを形成し、前記板部１の左側方の左端部１２を上方に折曲延設して傾斜状下方支持部１３を、前記傾斜状下方支持部１３の上方に左側方に折曲する下方載置部１４を、前記下方載置部１４の上方に垂直状支持部１５を、前記垂直状支持部１５の上方を右側方に延設折曲して上方折曲部１６を、且つ前記上方折曲部１６の端部を上方に傾斜状に折曲する右側被せ部１７を、前記右側被せ部１７の上方を湾曲状に折曲して湾曲状頂部１８を、前記湾曲状頂部１８を左側方に折曲する傾斜状左側被せ部１９を、前記傾斜状左側被せ部１９の下端部を内側方に折曲して支承部２０を、前記支承部２０の端部を左側方に湾曲状に折曲し、且つ前記湾曲状に折曲した端部を右側方に折曲して押え部２１からなる上馳ぜ部ｂを形成せしめる金属屋根材Ａと、水平状基部２３の端部２４を上方に折曲して支持脚部２５を、前記支持脚部２５の上端部２６を右側方に折曲する折曲部２７を形成し、前記折曲部２７の端部を上方に折曲して傾斜状支持部２８を、前記傾斜状支持部２８の上方部に頂部２９を、前記頂部２９の端部を傾斜状に延設して差込み部３０を有する吊子Ｂを形成し、屋根下地材の所定位置に縦葺き状態にして固定する前記吊子Ｂの左側方に前記金属製屋根材Ａの下馳ぜ部ａの吊子端部を挿入する挿入部１１の嵌挿部１０内に、前記吊子Ｂの差込み部３０を嵌挿せしめ前記吊子Ｂの裏面部と密着重合せしめ、他方前記金属製屋根材Ａの左側方に形成する上馳ぜ部ｂを、前記吊子Ｂの右側方に重合密着して前記下馳ぜ部ａと重合している前記吊子Ｂの傾斜状支持部２８と頂部２９と差込み部３０の上方より被嵌し、前記下方馳ぜ部ａと前記吊子Ｂと前記上方馳ぜ部ｂとが重合して形成するソーラーパネルＰのソーラーパネル嵌挿部３１，３２を形成せしめると共に、前記ソーラーパネル嵌挿部３１，３２に前記ソーラーパネルＰの左側端縁部３３と右側端縁部３４を嵌着施工せしめることを特徴とするソーラーパネル施工法である。
【００１６】
課題を解決するための手段として、請求項５に記載の金属製屋根材は、前記ソーラーパネル嵌挿部３１、３２は、前記吊子Ｂと前記下馳ぜ部ａと前記上馳ぜ部ｂとが密着し、且つ嵌合する前記下馳ぜ部ａの下方載置部４と前記上馳ぜ部ｂの押え部２１との間に形成される一方のソーラーパネル嵌挿部３１と、前記上馳ぜ部ｂの下方載置部１４と上方折曲部１６との間に形成される他方のソーラーパネル嵌挿部３２とすることを特徴とする請求項４に記載のソーラーパネル施工法である。
【００１７】
課題を解決するための手段として、請求項６に記載の金属製屋根材は、前記ソーラーパネルＰは、複数のパネルから構成されており、ソーラースタートパネルＰとソーラー中パネルＰとソーラーエンドパネルＰからなり、前記ソーラースタートパネルＰの前方左右両サイドの角部３５、３６と前記ソーラーエンドパネルＰの後方左右両サイドの角部３７、３８に脚４０付き軒先・棟用スペーサー３９を嵌着し、且つ前記ソーラースタートパネルＰの後方左右両サイドの角部３７、３８と前記ソーラー中パネルＰの前方左右両サイドの角部４１、４２と、前記ソーラー中パネルＰの後方左右両サイドの角部４３、４４と前記ソーラーエンドパネルＰの前方左右両サイドの角部４５、４６に脚４８付き中間ジョイント用スペーサー４７を嵌着せしめて前記ソーラースタートパネルＰと前記ソーラー中パネルＰと前記ソーラーエンドパネルＰとを接続せしめることを特徴とする請求項４又は同５に記載のソーラーパネル施工法である。
【００１８】
課題を解決するための手段として、請求項７に記載の金属製屋根材は、前記脚４０付き軒先・棟用スペーサー３９と前記脚４８付き中間ジョイント用スペーサー４７は、前記脚４０、４８に貫通孔４９を夫々形成せしめることを特徴とする請求項４又は同５又は同６に記載のソーラーパネル施工法である。
【発明の効果】
【００１９】
請求項１に記載の発明は、金属製屋根材Ａを構成する板部１の右端部２を上方に折曲して傾斜状下方支持部３を、前記傾斜状下方支持部３の上方に右側方に折曲する下方載置部４を、前記下方載置部４の上方を延設して垂直状支持部５を、前記垂直状支持部５の上方を右側方に折曲して上方折曲部６を、且つ前記上方折曲部６の端部を上方に傾斜状に折曲する右側すくい部７を、前記右側すくい部７の上方を折曲して湾曲状頂部８を、前記湾曲状頂部８を左側方に延設折曲する傾斜状左側すくい部９を、前記傾斜状左側すくい部９の下端部を稍湾曲状に折曲して吊子端部の挿入部１１を有する嵌挿部１０からなる下馳ぜ部aを形成し、前記板部１の左側方の左端部１２を上方に折曲延設して傾斜状下方支持部１３を、前記傾斜状下方支持部１３の上方に左側方に折曲する下方載置部１４を、前記下方載置部１４の上方に垂直状支持部１５を、前記垂直状支持部１５の上方を右側方に延設折曲して上方折曲部１６を、且つ前記上方折曲部１６の端部を上方に傾斜状に折曲する右側被せ部１７を、前記右側被せ部１７の上方を湾曲状に折曲して湾曲状頂部１８を、前記湾曲状頂部１８を左側方に折曲する傾斜状左側被せ部１９を、前記傾斜状左側被せ部１９の下端部を内側方に折曲して支承部２０を、前記支承部２０の端部を左側方に湾曲状に折曲し、且つ前記湾曲状に折曲した端部を右側方に折曲して押え部２１からなる上馳ぜ部ｂを形成せしめる金属製屋根材なので、前記した上馳ぜ部と下馳ぜ部とを密着重合するだけで前記金属製屋根材を馳ぜ締め作業工程をすることなく、葺き上げることができると共に、葺き上げ施工された折版屋根材は、耐荷重性、耐衝撃性及び耐吸着性等にも優れた利点を多数有している。
【００２０】
さらに、本発明の金属製屋根材は、葺き上げ施工が極めて簡単にして、且つ容易に作業が出来るので、工事費の節減にもなる。
【００２１】
また本発明は、ソーラーパネルも必要に応じて前記下馳ぜ部と上馳ぜ部とを被嵌せしめて形成する左右両サイドのソーラーパネル嵌挿部内に、スプリングバック作用を利用して強固に嵌着できる利点を有している。
【００２２】
請求項２に記載の発明の前記金属製屋根材Ａは、前記板部１を水平状に形成し、且つ前記板部１の右側方に前記板部１より高い上段水平部２２を形成し、前記板部１の左側方に前記板部１より高い上段水平部２２を夫々形成せしめる金属製屋根材なので、前記請求項１に記載の発明と同じ効果を有している。
【００２３】
請求項３に記載の発明は、前記金属製屋根材Ａを前記金属製屋根材Ａの前記下馳ぜ部ａを下方に、前記上馳ぜ部ｂを上方にして重ね合せ縦葺き施工時において、前記下馳ぜ部ａと前記上馳ぜ部ｂとの間に、水平状基部２３の端部２４を上方に折曲して支持脚部２５を、前記支持脚部２５の上端部２６を右側方に折曲する折曲部２７を形成し、前記折曲部２７の端部を上方に折曲して傾斜状支持部２８を、前記垂直状支持部２８の上方部に頂部２９を、前記頂部２９の端部を傾斜状に延設して差込み部３０を有する吊子Ｂを形成し、前記下馳ぜ部ａの嵌挿部１０の挿入部１１に前記吊子Ｂの差込み部３０を差込み、前記吊子Ｂと前記下馳ぜ部ａと前記上馳ぜ部ｂとを一体にして組立て施工する金属製屋根材なので、前記請求項１に記載の発明と同じ耐荷重性、耐衝撃性及び耐吸着性等に優れた利点を有している。
【００２４】
請求項４に記載の発明は、板部１の右端部２を上方に折曲して傾斜状下方支持部３を、前記傾斜状下方支持部３の上方に右側方に折曲する下方載置部４を、前記下方載置部４の上方を延設して垂直状支持部５を、前記垂直状支持部５の上方を右側方に折曲して上方折曲部６を、且つ前記上方折曲部６の端部を上方に傾斜状に折曲する右側すくい部７を、前記右側すくい部７の上方を折曲して湾曲状頂部８を、前記湾曲状頂部８を左側方に延設折曲する傾斜状左側すくい部９を、前記傾斜状左側すくい部９の下端部を稍湾曲状に折曲して吊子端部の挿入部１１を有する嵌挿部１０からなる下馳ぜ部aを形成し、前記板部１の左側方の左端部１２を上方に折曲延設して傾斜状下方支持部１３を、前記傾斜状下方支持部１３の上方に左側方に折曲する下方載置部１４を、前記下方載置部１４の上方に垂直状支持部１５を、前記垂直状支持部１５の上方を右側方に延設折曲して上方折曲部１６を、且つ前記上方折曲部１６の端部を上方に傾斜状に折曲する右側被せ部１７を、前記右側被せ部１７の上方を湾曲状に折曲して湾曲状頂部１８を、前記湾曲状頂部１８を左側方に折曲する傾斜状左側被せ部１９を、前記傾斜状左側被せ部１９の下端部を内側方に折曲して支承部２０を、前記支承部２０の端部を左側方に湾曲状に折曲し、且つ前記湾曲状に折曲した端部を右側方に折曲して押え部２１からなる上馳ぜ部ｂを形成せしめる金属屋根材Ａと、水平状基部２３の端部２４を上方に折曲して支持脚部２５を、前記支持脚部２５の上端部２６を右側方に折曲する折曲部２７を形成し、前記折曲部２７の端部を上方に折曲して傾斜状支持部２８を、前記傾斜状支持部２８の上方部に頂部２９を、前記頂部２９の端部を傾斜状に延設して差込み部３０を有する吊子Ｂを形成し、屋根下地材の所定位置に縦葺き状態にして固定する前記吊子Ｂの左側方に前記金属製屋根材Ａの下馳ぜ部ａの吊子端部を挿入する挿入部１１の嵌挿部１０内に、前記吊子Ｂの差込み部３０を嵌挿せしめ前記吊子Ｂの裏面部と密着重合せしめ、他方前記金属製屋根材Ａの左側方に形成する上馳ぜ部ｂを、前記吊子Ｂの右側方に重合密着して前記下馳ぜ部ａと重合している前記吊子Ｂの傾斜状支持部２８と頂部２９と差込み部３０の上方より被嵌し、前記下方馳ぜ部ａと前記吊子Ｂと前記上方馳ぜ部ｂとが重合して形成するソーラーパネルＰのソーラーパネル嵌挿部３１，３２を形成せしめると共に、前記ソーラーパネル嵌挿部３１，３２に前記ソーラーパネルＰの左側端縁部３３と右側端縁部３４を嵌着施工せしめるソーラーパネル施工法なので、耐荷重性、耐衝撃性及び耐吸着性等にも優れた利点を有するソーラーパネルを極めて簡単にして、しかも極めて容易に嵌着施工ができる。
【００２５】
請求項５に記載の発明は、前記ソーラーパネル嵌挿部３１、３２は、前記吊子Ｂと前記下馳ぜ部ａと前記上馳ぜ部ｂとが密着し、且つ嵌合する前記下馳ぜ部ａの下方載置部４と前記上馳ぜ部ｂの押え部２１との間に形成される一方のソーラーパネル嵌挿部３１と、前記上馳ぜ部ｂの下方載置部１４と上方折曲部１６との間に形成される他方のソーラーパネル嵌挿部３２とする請求項４に記載のソーラーパネル施工法なので、前記請求項４に記載の発明と同じ効果を有している。
【００２６】
請求項６に記載の発明は、前記ソーラーパネルＰは、複数のパネルから構成されており、ソーラースタートパネルＰとソーラー中パネルＰとソーラーエンドパネルＰからなり、前記ソーラースタートパネルＰの前方左右両サイドの角部３５、３６と前記ソーラーエンドパネルＰの後方左右両サイドの角部３７、３８に脚４０付き軒先・棟用スペーサー３９を嵌着し、且つ前記ソーラースタートパネルＰの後方左右両サイドの角部３７、３８と前記ソーラー中パネルＰの前方左右両サイドの角部４１、４２と、前記ソーラー中パネルＰの後方左右両サイドの角部４３、４４と前記ソーラーエンドパネルＰの前方左右両サイドの角部４５、４６に脚４８付き中間ジョイント用スペーサー４７を嵌着せしめて前記ソーラースタートパネルＰと前記ソーラー中パネルＰと前記ソーラーエンドパネルＰとを接続せしめる請求項３又は同４又は同５に記載のソーラーパネル施工法なので、前記請求項４に記載の発明と同じ効果を有している。
【００２７】
さらに本発明は、ソーラーパネルを極めて容易にして、且つ簡単に嵌着施工することができる利点を有している。
【００２８】
請求項７に記載の発明は、前記脚４０付き軒先・棟用スペーサー３９と前記脚４８付き中間ジョイント用スペーサー４７は、前記脚４０、４８に貫通孔４９を夫々形成せしめる請求項３又は同４又は同５又は同６に記載のソーラーパネル施工法なので、ソーラーパネルの接続用電気コード等の作業性に優れている。
【００２９】
さらに、本発明は前記請求項４、５、６に記載の発明と同じ効果を併有している。
【図面の簡単な説明】
【００３０】
【図１】本発明金属製屋根材及び施工法における使用状態を示す一部切欠  斜視図である。
【００３１】
【図２】同図１の使用状態を示す平面図である。
【００３２】
【図３】同図１の使用状態を背面よりみた一部切欠拡大斜視図である。
【００３３】
【図４】同金属製屋根材の第一実施例を示す斜視図である。
【００３４】
【図５】同図４の金属製屋根材の正面図である。
【００３５】
【図６】同図５の金属製屋根材の一部切欠平面図である。
【００３６】
【図７】同金属製屋根材の右側端部に形成した下馳ぜ部の一部切欠拡大正面図である。
【００３７】
【図８】同金属製屋根材の左端部に形成の上馳ぜ部の一部切欠拡大正面図である。
【００３８】
【図９】同吊子の拡大正面図である。
【００３９】
【図１０】同図９の吊子の斜視図である。
【００４０】
【図１１】同ソーラーパネル嵌着せしめた金属製屋根材の一部切欠正面図である。
【００４１】
【図１２】同金属屋根材と吊子とを組立てた状態の一部切欠拡大正面図である。
【００４２】
【図１３】同図１２の金属製屋根材と吊子とを組み立て後ソーラーパネルを嵌着せしめた状態の一部切欠正面図である。
【００４３】
【図１４】同ソーラーパネルの組立て前の斜視図である。
【００４４】
【図１５】図１４の軒先・棟用スペーサーの拡大斜視図である。
【００４５】
【図１６】同図１４の中間用スペーサーの拡大斜視図である。
【発明を実施するための最良の形態】
【００４６】
本発明の請求項１〜７に記載の発明の実施の形態は共通しているので、一括して以下のとおり説明する。
【００４７】
図において、Ａは本発明の金属製屋根材であり、以下の構成からなっている。
【００４８】
本発明の前記金属製屋根材Ａは、板部１の右端部２には、本発明の要旨である下馳ぜ部ａを形成し、他方前記板部１の左端部１２には、本発明の要旨である上馳ぜ部ｂを夫々形成する。以下両馳ぜ部ａ、ｂの実施形態を説明する。  
【００４９】
前記金属製屋根材Ａの板部１の右端部２を上方に折曲して傾斜状下方支持部３を、前記傾斜状下方支持部３の上方に右側方に折曲する下方載置部４を形成する。そして、前記下方載置部４の上方を延設して垂直状支持部５を、前記垂直状支持部５の上方を右側方に折曲して上方折曲部６を形成する。さらに、前記上方折曲部６の端部を上方に傾斜状に折曲する右側すくい部７を形成すると共に、前記右側すくい部７の上方を折曲して湾曲状頂部８を、前記湾曲状頂部８を左側方に延設折曲する傾斜状左側すくい部９を夫々形成する。さらに、前記傾斜状左側すくい部９の下端部を稍湾曲状に折曲して吊子端部の挿入部１１を有する嵌挿部１０を形成する。
【００５０】
以上が下馳ぜ部ａの構成である。
【００５１】
前記吊子端部の挿入部１１の形状は、下方部に形成されている嵌挿部１０の幅員より若干狭めた状態で形成されている。
【００５２】
つぎに、前記上馳ぜ部ｂの実施形態について説明する。
【００５３】
前記板部１の左側方の左端部１２を上方に折曲延設して傾斜状下方支持部１３を形成する。そして前記傾斜状下方支持部１３の上方に左側方に折曲する下方載置部１４を、前記下方載置部１４の上方に垂直状支持部１５を夫々形成する。
【００５４】
さらに、前記垂直状支持部１５の上方を右側方に延設折曲して上方折曲部１６を、且つ前記上方折曲部１６の端部を上方に傾斜状に折曲する右側被せ部１７を夫々形成する。さらに、前記右側被せ部１７の上方を湾曲状に折曲して湾曲状頂部１８を形成する。
【００５５】
前記湾曲状頂部１８を左側方に折曲する傾斜状左側被せ部１９を、前記傾斜状左側被せ部１９の下端部を内側方に折曲して支承部２０を夫々形成する。
【００５６】
さらに、前記支承部２０の端部を左側方に湾曲状に折曲し、且つ前記湾曲状に折曲した端部を右側方に折曲して押え部２１を形成する。
【００５７】
前記右側被せ部１７と前記湾曲部１８と前記左側被せ部１９の形態は、前記下馳ぜ部ａの前記右側すくい部７と前記湾曲状頂部８と前記左側すくい部９を被嵌可能な形状にて形成されている。
【００５８】
前記支承部２０と前記押え部２１の形状は、図８、１２、１３等に図示されているように、以下に説明するソーラーパネル嵌挿部３１内にソーラーパネルＰが嵌着した際に、スプリングバック機能が発揮できる形状である。  
【００５９】
すなわち、前記ソーラーパネルＰの端縁部が前記ソーラーパネル嵌挿部３１内に嵌着すると、前記支承部２０と前記押え部２１の間に形成されている、間隙部によって、前記押え部２１が上方に押し上げられるが、前記ソーラーパネルＰが確実に嵌挿すると、前記押え部２１のスプリングバック機能によって、前記ソーラーパネルＰの上面部の全面部が強固に押圧される。従って台風等による耐吸着性等にも極めて優れた効果を発揮できる。
【００６０】
以上が上馳ぜ部ｂの実施形態である。
【００６１】
前記金属製屋根材Ａは、前記板部１を水平状に形成し、且つ前記板部１の右側方には前記板部１より高い上段水平部２２を、前記板部１の左側方には前記板部１より高い上段水平部２２を夫々形成せしめる。
【００６２】
Ｂは本発明の構成部材である吊子であり、以下の構成からなっている。
【００６３】
前記吊子Ｂは、前記金属製屋根材Ａを前記金属製屋根材Ａの前記下馳ぜ部ａを下方に、前記上馳ぜ部ｂを上方にして重ね合せ縦葺き施工時をする際に使用するものである。その実施形態は以下のとおりである。  
【００６４】
水平状基部２３の一端部２４を上方に垂直状に折曲する支持脚部２５を、前記支持脚部２５の上端部２６を右側方に折曲する折曲部２７を夫々形成する。そして、前記折曲部２７の端部を上方に折曲して傾斜状支持部２８を、前記垂直状支持部２８の上方部に頂部２９を夫々形成する。
【００６５】
さらに、前記頂部２９の端部を傾斜状に延設して差込み部３０を形成する。
【００６６】
前記差込み部３０は、頂部２９より漸次外側に開放状に展開し、先端部より若干上方部を折曲して、垂直状に形成し、差込みが仕易い形状にて形成する。
【００６７】
前記水平状基部２３と前記折曲部２７とは、稍平行状となっている。
【００６８】
Ｐはソーラーパネルであり、以下の構成からなっている。
【００６９】
当該ソーラーパネルＰは、市販されている京セラ株式会社の「ＳＡＭＵＲＡＩ」印の厚みが８ｍｍ仕様の製品を使用するのが好適である。そのため、本発明においては、ソーラーパネルＰとソーラー中パネルＰとソーラーエンドパネルＰを下記のように脚４０付き軒先・棟用スペーサー３９と中間ジョイント用スペーサー４７を使用する。
【００７０】
すなわち、図１４に図示されているように、前記ソーラースタートパネルＰの前方左右両サイドの角部３５、３６と左右ソーラーエンドパネルＰの後方左右両サイドの角部３７、３８に脚４０付き軒先・棟用スペーサー３９を嵌着する。さらに前記ソーラースタートパネルＰの後方左右両サイドの角部３７、３８と前記ソーラー中パネルＰの前方左右両サイドの角部４１、４２と、前記ソーラー中パネルＰの後方左右両サイドの角部４３、４４と、前記ソーラーエンドパネルＰの前方左右両サイドの角部４５、４６に、脚４８付き中間ジョイント用スペーサー４７を嵌着せしめて前記ソーラースタートパネルＰと前記ソーラー中パネルＰと前記ソーラーエンドパネルＰとを接続する（図１４）。
【００７１】
３３ａは前記ソーラースタートパネルＰの前方左右両サイドの角部３５、３６に取着せしめられたアースである。
【００７２】
さらに、前記アース３３ａはソーラー中パネルＰの前方左右両サイドの角部４１，４２にも取着される。
【００７３】
また、前記アース３３ａは、ソーラーエンドパネルＰの前方左右両サイドの角部４５，４６にも前記と同様に取着される。
【００７４】
前記軒先・棟用スペーサー３９の実施形態は以下のとおりである。
【００７５】
前記スペーサー３９は、細長形状の上方板部５０の一端部を直角状に折曲して側面板部５１を形成し、前記側面板部５１の下端部を内側方向に直角状に折曲して下方板部５２を形成する。さらに、前記下方板部５２の前方端部の一部を突設して突出部５４を形成し、前記突出部５４の前方端部を直角状に折曲して孔４９付き脚４０を形成する。
【００７６】
５３は前記上方板部５０と下方板部５２との間に形成された嵌挿部である。
【００７７】
以上の構成が軒先・棟用スペーサー３９の実施の一例である。
【００７８】
前記脚４８付き中間ジョイント用スペーサー４７の実施形態は以下のとおりである。
【００７９】
前記スペーサー４７は図１６に図示するとおり、細長形状の上方板部５５の一端部を直角状に折曲して側面板部５７を形成し、前記側面板部５７の下端部を内側方向に直角状に折曲して下方板部５８を形成する。さらに、前記下方板部５８の前方端部の一部を突設して突出部５９を形成し、前記突出部５９の前方端部を直角状に折曲して孔４９付き脚４８を形成する。
【００８０】
６０は前記上方板部５５と下方板部５８との間に形成された嵌挿部である。
【００８１】
なお、５６は前記上方板部５５の左側方部を切欠せしめた切欠部である。
【００８２】
以上の構成が中間ジョイント用スペーサー３７の実施の一例である。
【００８３】
Ｃは、前記本発明の金属製屋根材Ａと前記吊子Ｂとを屋根の下地材等に重合密着し被嵌せしめ葺き上げられた金属製屋根に、前記ソーラーパネルＰを嵌着した後、嵌着した前記ソーラーパネルＰの下方への滑止め用として被嵌し一体に組立てた前記上下馳ぜ部a、ｂと吊子Bに、嵌着せしめたソーラーパネルＰの滑止め防止用止め具である。
【００８４】
Ｄは屋根上に縦葺きした本発明金属製屋根材Ａに嵌着せしめたソーラーパネルＰに接続の配線コード（図示なし）を収納するコードカバーである。
【００８５】
前記コードカバーＤは、図１、２、３に図示されているソーラーパネルＰの滑止め防止用止め具Ｃと一体にして、且つ嵌挿させながら、前記ソーラーパネルＰ中前記ソーラースタートパネルＰの前方端部面に装着し使用する。
【００８６】
Ｅは、縦葺きされた本発明屋根板材Ａの軒先に取付け施工された前記軒先より容易に離脱しない構造をした桟鼻である。
【００８７】
つぎに、本発明金属製屋根材Ａと吊子ＢとソーラーパネルＰとの施工方法は、以下のとおりである。
【００８８】
屋根下地材の所定個所に、前記吊子Ｂを所定の間隔おきに設置する。しかる後1枚の前記金属製屋根材Ａの下馳ぜ部aを前記吊子Ｂの左側方に寄せながら密着する。その際、前記吊子Ｂの差込み口３０を前記下馳ぜ部aの嵌挿部１０の挿入部１１に差込んでやる。
【００８９】
その結果、前記吊子Ｂと前記金属製屋根材Ａの下馳ぜ部aとが図１２、１３に図示するように、先端部が傾斜状より垂直状に垂下している前記吊子Ｂの差込み口３０が嵌挿すると共に、左すくい部９とすくい部３０が重合し、湾曲状頂部８と頂部２９が重合し、右側すくい部７と傾斜状折曲部２８が重合し、上方折曲部６と折曲部２７が重合し、さらに、垂直状支持部５と折曲部２７が重合する。
【００９０】
その際、前記吊子Ｂの差込み口３０が、前記下馳ぜ部aの傾斜状左側すくい部９を、前記吊子Ｂの右側すくい部７の方向に常時引き寄せ状態となっている。そのため吊子Ｂの上方向への引張り力が阻止される。
【００９１】
上記のように前記吊子Ｂと前記金属製屋根材Ａの下馳ぜ部aとは、嵌合し重合状態となっている。
【００９２】
つぎに、嵌合し、且つ重合状態となっている前記吊子Ｂと上馳ぜ部ｂに対し、下馳ぜ部aを嵌合するための施工方法を示すと以下のとおりである。
【００９３】
前記吊子Ｂに対し嵌合し、且つ重合した下馳ぜ部aの上方より上馳ぜ部ｂを被嵌すると、図１、２、３、１１、１２、１３のように嵌合し、且つ重合する。
【００９４】
すなわち、前記上馳ぜ部ｂの傾斜状左側被せ部１９が傾斜状左側すくい部９と重合し、且つ嵌挿部１０の下方部位に支承部２０と押え部２１が配置される。
【００９５】
さらに、湾曲状頂部８と湾曲状頂部１８と重合し、傾斜状支持部２８と右側被せ部１７が重合し、折曲部２７と上方折曲部１６と重合し、支持脚部２５と垂直状支持脚部１５が重合する。
【００９６】
前記のように、重合する吊子Ｂと下馳ぜ部ａと上馳ぜ部ｂが嵌合し、且つ重合することによって、押え部２１と下方載置部４との間に、ソーラーパネル嵌挿部３１が形成される。
【００９７】
他方、下方載置部と上方折曲部１６との間にも、ソーラーパネル嵌挿部３２が形成される（図１２、１３）。
【００９８】
前記ソーラーパネルＰに対し、前記各スペーサー３９、４７を嵌着するには以下のとおりである。
【００９９】
図１４に図示するように、前記ソーラースタートパネルＰの前方左右両サイドの角部３５、３６と前記ソーラーエンドパネルＰの後方左右両サイドの角部３７、３８に、脚４０付き軒先・棟用スペーサー３９を嵌着する。さらに前記ソーラースタートパネルＰの後方左右両サイドの角部３７、３８と、前記ソーラー中パネルＰの前方左右両サイドの角部４１、４２と、前記ソーラー中パネルＰの後方左右両サイドの角部４３、４４と前記ソーラーエンドパネルＰの前方左右両サイドの角部４５、４６に脚４８付き中間ジョイント用スペーサー４７を嵌着せしめる。前記ソーラースタートパネルＰと前記ソーラー中パネルＰと前記ソーラーエンドパネルＰとが接続される。
【０１００】
つぎに、前記ソーラーパネルＰを前記金属製屋根材Ａに嵌着し施工する手順を説明する。
【０１０１】
図１４に図示するように、前記スタートパネルＰに、スペーサー３９，４７を嵌挿後、該パネルＰを前記ソーラーパネル嵌挿部３１，３２に嵌合させてやる（図１１、１３）。
【０１０２】
その際、前記パネルＰの右サイドに嵌着したスペーサー３９、４７の下方板部５２、５８が、下方載置部４に載置し、他方前記パネルＰの右サイドに嵌着したスペーサー３９、４７の上方板部５０、５５が、前記押え部２１によって押圧された状態で前記パネルＰが嵌挿し施工される。
【０１０３】
さらに、前記パネルＰの左サイドに嵌着したスペーサー３９、４７の下方板部５２、５８が、下方載置部１４に載置し、他方前記パネルＰの左サイドに嵌着したスペーサー３９、４７の上方板部５０、５５が、前記上方折曲部１６に当接した状態で前記パネルＰが嵌挿し施工される。
【０１０４】
以上が前記ソーラースタートパネルＰのソーラーパネル嵌挿部３１、３２への嵌合施工手順である。
【０１０５】
つぎに、前記中パネルＰを前記スタートパネルＰに接続させる手順は、図１４に図示するように、前記スタートパネルＰに中間ジョイント用スペーサー４７を嵌着する。
【０１０６】
しかる後、前記中パネルＰを前記ソーラースタートパネルＰの嵌合施工手順と同様にして嵌合施工する。
【０１０７】
さらに、前記ソーラーエンドパネルＰも、前記軒先・棟用スペーサー３９を嵌着し、ついで前記ソーラーパネル嵌挿部３１、３２内に前記ソーラーエンドパネルＰを嵌合し、前記ソーラー中パネルＰのジョイントスペーサー４７にソーラーエンドパネルＰを嵌挿させる。
【０１０８】
その結果、前記ソーラー中パネルＰも前記ソーラーエンドパネルＰも、前記スタートパネルＰと全く同じく前記ソーラーパネル嵌挿部３１、３２に嵌着施工したときと同じ状態で嵌着施工される。従ってその具体的説明は上述と同じなので、その説明を省略した。
【符号の説明】
【０１０９】
Ａ        金属製屋根材
Ｂ        吊子
Ｃ        止め具
Ｄ        コードカバー
Ｅ        桟鼻
Ｐ        ソーラーパネル
ａ        下馳ぜ部
ｂ        上馳ぜ部
１        板部
２        右端部
３        傾斜状下方支持部
４        下方載置部
５        垂直状支持部
６        上方折曲部
７        右側すくい部
８        湾曲状頂部
９        傾斜状左すくい部
１０      嵌挿部
１１      挿入部
１２      左端部
１３      傾斜状下方支持部
１４      下方載置部
１５      垂直状支持部
１６      上方折曲部
１７      右側被せ部
１８      湾曲状頂部
１９      傾斜状左側被せ部
２０      支承部
２１      押え部
２２      上段水平部
２３      水平状基部
２４      端部
２５      支持脚部
２６      上端部
２７      折曲部
２８      傾斜状支持部
２９      頂部
３０      差込み部
３１      ソーラーパネル嵌挿部
３２      ソーラーパネル嵌挿部
３３      左側端縁部
３３ａ    アース
３４      右側端縁部
３５      角部
３６      角部
３７      角部
３８      角部
３９      軒先・棟用スペーサー
４０      脚部
４１      角部
４２      角部
４３      角部
４４      角部
４５      角部
４６      角部
４７      中間ジョイント用スペーサー
４８      脚
４９      貫通孔
５０      上方板部
５１      側面板部
５２      下方板部
５３      嵌挿部
５４      突出部      
【要約】
【課題】従来の長尺金属屋根葺板及び吊子のような構造を採用せずに、金属製屋根材が単独でも葺き上げ施工ができるようにした。
【解決手段】板部１の右端部２を上方に折曲して傾斜状下方支持部３を、その上方に右側方に折曲する下方載置部４を、その上方を延設して垂直状支持部５を、その上方を右側方に折曲して上方折曲部６を、その端部を上方に傾斜状に折曲する右側すくい部７を、その上方を折曲して湾曲状頂部８を、それを左側方に延設折曲する傾斜状左側すくい部９を、その下端部を稍湾曲状に折曲して吊子端部の挿入部１１を有する嵌挿部１０からなる下馳ぜ部aを形成する。また上馳ぜ部ｂを形成する。
【選択図】図１２【図１】
0005633831.tif 000002
【図２】
0005633831.tif 000003
【図３】
0005633831.tif 000004
【図４】
0005633831.tif 000005
【図５】
0005633831.tif 000006
【図６】
0005633831.tif 000007
【図７】
0005633831.tif 000008
【図８】
0005633831.tif 000009
【図９】
0005633831.tif 000010
【図１０】
0005633831.tif 000011
【図１１】
0005633831.tif 000012
【図１２】
0005633831.tif 000013
【図１３】
0005633831.tif 000014
【図１４】
0005633831.tif 000015
【図１５】
0005633831.tif 000016
【図１６】
0005633831.tif 000017